(57)【要約】      （修正有）【課題】デジタルカメラの撮影時に直射日光やその他の雑光が液晶モニターに反射することを防ぐとともに、液晶モニターにファインダ機能を持たせた液晶画面直視ファインダー装置を提供する。【解決手段】デジタルカメラ８のモニター画面９の周囲に密着して覆うことができる暗箱１を設け、直射日光や周囲からの雑光を遮断する。またモニター画面を見ることができるように暗箱の中央部に覗き穴を設け接眼レンズ６を取付けて液晶画面を至近距離で明視できるようにする。【選択図】図３
0003184770.tif 000002
【実用新案登録請求の範囲】
【請求項１】
デジタルカメラ等の液晶モニター部の周囲に直射光その他の雑光の照射を遮るために周囲に密着して覆うことができる装着可能な暗箱を設けその底面中央部に接眼レンズを取付けてカメラの液晶画面を明視できる直視ファインダー装置。
【請求項２】
液晶モニター部の周囲に直射光その他の雑光の照射を遮るために周囲に密着して覆うことができる暗箱として図示した固定式以外に蛇腹式または板状の折り畳み式によりなる直視ファインダー装置。
【考案の詳細な説明】
【技術分野】
【０００１】  本考案は、デジタルカメラの液晶モニター部に接眼レンズを取付けた暗箱を装着してなる直視ファインダー装置に関するものである。
【背景技術】
【０００２】  デジタルカメラは簡素な構造で、取扱いが容易なことから広く普及しているが、難点として撮影画像を捕える接眼形のファインダーを装備している機種は非常に少ない。従って多くの場合は液晶モニターに写しだされる映像を凝視しながら撮影を行なう。特に屋外において撮影する場合は直射日光や明るい周囲の雑光が照射してモニター画面が明視できなくなり良好な撮影の妨げになることが多い。
また液晶モニターの映像をファインダーとして撮影する場合に、人間の目の生理的な焦点距離は約３０センチであるため撮影上最も大切なピント合わせを行う場合、モニターに目を近づけての詳細な画像の確認は一般的に困難で、小さなモニター画像から３０センチ程度目を離してピントならびに画面構成を確認しなければならず正確性に乏しくなる。
【先行技術文献】
【考案の概要】
【考案が解決しようとする課題】
【０００３】  デジタルカメラは新しい機種が次々と発売されているが、小型コンパクト化のためか接眼形ファインダーの装備は殆んど見られない。またレンズ交換方式のカメラやズームレンズを用いる場合に対してはファインダーとの連動機構が複雑化かつ高価となり汎用性に問題が生じるためか連動機能の付いたファインダーは見当たらない。
また直射日光など雑光対策としては撮影者がその時々に応じて片方の手や衣服等により不安定な状態で陰をつくり苦労して撮影しているのが現状である。
【課題を解決するための手段】
【０００４】  本考案は上記のファインダー機能と、液晶モニター画面に直射日光や周囲からの雑光の照射に対する問題を同時に解決する方法として、モニター画面の周囲に光を遮るためにその周囲に密着して覆うことができる暗箱を設けその中央すなわち底部に覗き穴を開ければ直射日光や周囲からの雑光を遮断してモニター画面を見ることができる。さらにモニター画面をファインダーとしてより近くから明視するために暗箱底部の覗き穴に接眼レンズを取付けることにより液晶モニターの画面を間近でかつ詳細に視ることができ接眼形のファインダーとしての機能を有するものとなる。なおデジタルカメラはその用途の面で上記暗箱を使用しないでモニター画面を直接視ることも考えられるので以上述べた暗箱は装着可能な着脱式が望ましい。
【考案の効果】
【０００５】  本案は上述のように小型デジタルカメラで直射日光や周囲の雑光に妨げられることがなく撮影ができるような暗箱を設け接眼レンズを取付けてカメラに装着可能な着脱式の接眼形ファインダーとして撮影の際に必要に応じて装着し使用することが出来るものとした。カメラ本体と分離することにより小型軽量で持ち運びも楽である。
一方ファインダーとしての機能については従来の光学式のファインダーに較べて次の点で異なっている。即ち光学式は特殊なカメラを除きレンズを介して被写体を撮影前の状態で視ているのに対して、本案のファインダーは被写体をカメラが捉え画像処理をして撮影後の状態を想定した画像として視ることができるので、例えば暗い被写体でも明るくした画像を視てピント合わせが出来るなど撮影の失敗が少なくなると言う特長がある。
【図面の簡単な説明】
【０００６】
【図１】本考案の液晶画面直視ファインダー装置の実施例を示す上面図である。
【図２】本ファインダー装置の側面図である
【図３】本ファインダー装置の図１におけるａ−ａ’の断面図である。
【考案を実施するための形態】
【０００７】  本案を実施するに当たって最も中心となる暗箱は板金張り合わせ、板金プレス加工、プラスチック成型等で実施ができる。但し暗箱がカメラの液晶モニター面の周囲に接触するため堅い金属よりも柔らか味のあるプラスチックが好ましく保持部を含めた一体成型ができるプラスチック成型が望ましい。またレンズは単体、もしくは群構成で視角を広げる程暗箱の奥行きを短くできる。なおレンズは保持用鏡筒に納め鏡筒は一部に焦点調整ネジを切っておき、暗箱中央の鏡筒保持部の内側に設けたネジにかん合させてモニター画面を明視する場合の焦点調整に用いる。
なおカメラへの装着は保持部に設けた絞め付けネジによりカメラ底部の三脚ネジ穴に合せて固定すればよい。
【実施例】
【０００８】  以下、添付図面に従って一実施例を説明する。１はプラスチック成型された暗箱である。２はレンズ保持用の鏡筒である。３は暗箱中央に突出した鏡筒保持部である。この内側と鏡筒の外周にはお互いにかん合するネジが切ってあり鏡筒の位置を図において左右に微調整することが出来る。４は保持部で５に示す絞め付けネジによりカメラ本体に暗箱を保持するもので暗箱と一体成型かもしくは板金等で製作してもよい。
６は鏡筒内に取付けられたレンズである。７は鏡筒の位置を微調整するためのネジ部を示している。
８は本案を利用する場合のデジタルカメラを想定したもので参考のため破線で示した。また、９はカメラの該カメラの液晶モニター部を概念的に示したものである。
【産業上の利用可能性】
【０００９】  本案は既にデジタルカメラが存在しており、このカメラの使用時における直射光やその他の雑光を遮って良好な撮影環境を得ることを主眼にしたものであるが、この装置を予めカメラに取付けておくことも容易に考えられる。例えば暗箱を折り畳み式にしてレンズもプラスチック製の厚みを極力薄くしたものを用いる等すれば撮影環境がさらに改善されるものと考えられる。
【符号の説明】
【００１０】１  暗箱
２  レンズ保持用の鏡筒
３  鏡筒保持部
４  保持部
５  絞め付けネジ
６  レンズ
７  鏡筒の位置を微調整するためのネジ部
８  デジタルカメラを想定
９  デジタルカメラの液晶モニター部を概念的に示す
【図１】
0003184770.tif 000003
【図２】
0003184770.tif 000004
【図３】
0003184770.tif 000005
【手続補正書】
【提出日】平成25年4月19日(2013.4.19)
【手続補正１】
【補正対象書類名】実用新案登録請求の範囲
【補正対象項目名】請求項２
【補正方法】変更
【補正の内容】
【請求項２】
前記暗箱を、蛇腹状に形成したことを特徴とする請求項１に記載の直視ファインダー装置。